(57)【要約】【課題】  三方と供物とを同時に購入でき、自分で適当な供物を探す必要がなく、また神棚や床の間などに載置した際に、載置個所周辺の装飾性が向上するような趣のある縁起用供物セットを提供する。また鼠や猫等に供物を食べられてしまうことを防止する。【解決手段】  三方２と、これに盛られた供物本体３２とを具え、この供物本体３２は、米俵を模したミニチュア製の容器３１と、その内部に収容される供物素材３２であることを特徴とする。また三方２は例えば天然木で製作され、容器３１内に収められる供物素材３２は、例えば餅、かき餅等の煎餅、おしるこの素などの食品や、お守り、ミニチュアだるまなどの縁起品のいずれか一または複数種であることを特徴とする。【選択図】図１
2005261483.tif 000002
【特許請求の範囲】
【請求項１】
三方と、これに盛られた供物本体とを具え、この供物本体は、米俵を模したミニチュア容器と、その内部に収容される供物素材であることを特徴とする縁起用供物セット。
【請求項２】
前記三方は、天然木であることを特徴とする請求項１記載の縁起用供物セット。
【請求項３】
前記米俵を模した容器内に収められる供物素材は、かき餅等の煎餅、餅、おしるこの素などの食品や、お守り、ミニチュアだるまなどの縁起品のいずれか一または複数種であることを特徴とする請求項１または２記載の縁起用供物セット。
【請求項４】
前記米俵を模した容器は、一俵毎に三個独立して形成されたものであることを特徴とする請求項１、２または３記載の縁起用供物セット。
【請求項５】
前記米俵を模した容器は、三俵が一体成型されたものであることを特徴とする請求項１、２または３記載の縁起用供物セット。
【発明の詳細な説明】
【技術分野】
【０００１】
本発明は神棚や床の間等に載置される三方と、その上に載置される供物のセットに関するものである。
【背景技術】
【０００２】
従来は、三方（一般に「三宝」とも記載される）と、供物とはそれぞれ個別に販売されていた（例えば特許文献１及び特許文献２参照）。しかしこのような販売形態は、供物として適したものを自分で見出して購入することが、面倒なことであるし、例えば若い世代の人にはわかりずらい面もある。また食物を例えば袋内に収めて三方上に載置した場合、鼠や猫に袋を破られて食べられてしまう虞もあった。
【０００３】
また従来供物自体には、装飾性が追求されることはなかったが、三方上に載置される供物にも装飾性が施されれば、神棚や床の間などの載置個所周辺の装飾性が向上する。
【特許文献１】特開２００２−２８０６８公報
【特許文献２】特開２０００−９３０９４公報
【発明の開示】
【発明が解決しようとする課題】
【０００４】
本発明はこのような背景からなされたものであって、三方と供物とを同時に購入でき、自分で適当な供物を探す必要がなく、また神棚や床の間などに載置した際に、載置個所周辺の装飾性が向上するような趣のある縁起用供物セットを実現しようとするものである。
【課題を解決するための手段】
【０００５】
すなわち請求項１記載の縁起用供物セットは、三方と、これに盛られた供物本体とを具え、この供物本体は、米俵を模したミニチュア容器と、その内部に収容される供物素材であることを特徴として成るものである。
【０００６】
また請求項２記載の縁起用供物セットは、前記請求項１記載の要件に加え、前記三方は、天然木であることを特徴として成るものである。
【０００７】
更に請求項３記載の縁起用供物セットは、前記請求項１または２記載の要件に加え、前記米俵を模した容器内に収められる供物素材は、かき餅等の煎餅、餅、おしるこの素などの食品や、お守り、ミニチュアだるまなどの縁起品のいずれか一または複数種であることを特徴として成るものである。
【０００８】
更にまた請求項４記載の縁起用供物セットは、前記請求項１、２または３記載の要件に加え、前記米俵を模した容器は、一俵毎に三個独立して形成されたものであることを特徴として成るものである。
【０００９】
更にまた請求項５記載の縁起用供物セットは、前記請求項１、２または３記載の要件に加え、前記米俵を模した容器は、三俵が一体成型されたものであることを特徴として成るものである。
【発明の効果】
【００１０】
本発明の縁起用供物セットは、上述した手段により以下のような効果を奏するものである。
すなわち請求項１記載の縁起用供物セットによれば、三方と供物（従来物において供物と呼称した場合、本発明においては供物素材に相当する。）とを同時に購入でき、自分で適当な供物を探す必要がなく、例えば神具関係についてあまり知らない例えば若い世代の人などでも容易に供物を適正に供えることができる。また供物素材が米俵を模したミニチュア容器内に収容されるため、懐古的な趣があり、神棚、床の間、玄関及び机などの縁起用供物セットの載置個所周辺の装飾性が向上する。また容器内に供物素材が収容されるため、鼠や猫に食べられてしまうことを防ぐことができる。
【００１１】
また請求項２記載の縁起用供物セットによれば、三方が天然木であるため、プラスチック製や紙製の三方に比べて縁起用供物セットの高級感を高める。
【００１２】
更に請求項３記載の縁起用供物セットによれば、縁起がよい物が供物として供えることができ、信者には、満足感、幸福感をもたらす。
【００１３】
更にまた請求項４記載の縁起用供物セットによれば、容器の製造を容易に行うことができる。
【００１４】
更にまた請求項５記載の縁起用供物セットによれば、三つの容器の固定が不要となり、そのため組立が簡単となる。
【発明を実施するための最良の形態】
【００１５】
本発明の最良の形態は、具体的には以下の図示の実施例に述べるとおりである。
【実施例】
【００１６】
以下本発明を図示の実施の形態に基づき説明する。図中符号１で示すものが、本発明の縁起用供物セットで、このものは三方２と、供物本体３と、裏白４とから成り、本発明の縁起用供物セット１は、少なくとも前記三方２と供物本体３とがセットになって流通、提供されるものである。
【００１７】
三方２は、天然木より製造されたもので、供物本体３を載置する平面視で正四角形状の上部台２Ａと、これを支持する角柱形の脚２Ｂとから成る。なお本発明で三方２とは、横幅１に対して高さが０．５の比となる遠山三方も含むものである。なお三方２の製造手法については、従来公知のまたは今後開発される種々の製造方法を採ることができる。また一例として上部台２Ａの上面には敷紙が敷かれ、その上に供物本体３が載置される。
【００１８】
次に供物本体３について説明する。供物本体３は、米俵を模したミニチュア製の容器３１と、その内部に収容される供物素材３２と、一例としてこの上部に設置される干支模型３３と、紙垂３４とから成る。
【００１９】
前記米俵を模したミニチュア製の容器３１は、三つの米俵を模した容器３１から成り、下段に２つの容器３１を載置し、その中間上部に一つの容器３１を載置したものである。
三つの容器３１は一例として合成樹脂により独立して成型されたもので、表面を金色の糸で覆うとともに、各容器３１が本物の米俵を模して金色の紐により結束される装飾が施されるとともに、三つの容器３１が離れないように結束されている。また図１中、容器３１の後部側が蓋３１ａとなっており、ここから供物素材３２が出し入れされる。なお容器３１は三つの容器３１を独立して製造する他、図３の容器の断面図に示されるように一体的に成型してもよい。
【００２０】
前記供物素材３２は、かき餅等の煎餅、餅、おしるこの素などの食品や、お守り、ミニチュアだるまなどの縁起品であり、これらが前記容器３１に入れられる。なお前記餅の形態としては、伸し餅を角切りにしたもの、また色分けした菱餅物、更には鏡餅状のものなど適宜の形状をしたものを適用し得る。
【００２１】
また容器３１の上部には、一例として干支模型３３（本実施例では猿の模型）が固定状態に設けられるとともに、紙垂３４が垂れ下げられる。干支模型３３の他、鼠等の縁起物や橙の模型を載置するようにしてもよい。
【００２２】
また本実施例では一例として三方２の上部台２Ａの前面には、天然の裏白（シダの葉）を模造した裏白４がフック部４ａにて掛け止められる。
【００２３】
本発明の縁起用供物セット１の一例は以上のような具体的形態を有するものであって、これを使用するにあたっては、供物素材３２は、予め容器３１内に納められて提供（販売等）されるため、ユーザーは図２に示されるように、神棚Ｇ等へそのまま縁起用供物セット１を載置し、そして裏白を三方２の上部台２Ａの前面に掛け止めればよい。もちろん容器３１の蓋３１ａを開け、使用者の用意した供物素材３２と交換することも可能である。
因みに取り出した供物素材３２の食品は、食することが可能である。なお本発明の縁起用供物セット１によれば、供物素材３２がプラスチック製等の容器３１に入れられるため、供物素材３２が見えないことや、硬質の容器３１内に納められているため、鼠や猫に食べられてしまうようなことが避けることができる。また縁起用供物セット１は、図２に示すように神棚Ｇへ供える他、床の間、玄関及び机などの適宜の個所に載置することが可能である。
【図面の簡単な説明】
【００２４】
【図１】本発明の縁起用供物セットの実施例を示す分解斜視図である。
【図２】本発明の縁起用供物セットを神棚に載置した状態を示す正面図である。
【図３】容器の縦断断面図である。
【符号の説明】
【００２５】
１      縁起用供物セット
２      三方
２Ａ    上部台
２Ｂ    脚
３      供物本体
３１    容器
３１ａ  蓋
３２    供物素材
３３    干支模型
３４    紙垂
４      裏白
４ａ    フック部
５      敷紙
Ｇ      神棚
【図１】
2005261483.tif 000003
【図２】
2005261483.tif 000004
【図３】
2005261483.tif 000005